(57)【要約】【課題】搬送物が直接ベルト上に落下することを防止でき、異物混入時でもベルトの縦裂を防止できるベルトコンベアー用シュートを提供する。【解決手段】搬送物３をベルトコンベアーに落下案内するベルトコンベアー用シュートであって、前記シュート２の下方端部に傾斜面２１１と傾斜面２１２が搬送方向に沿って折り曲げて形成されると共に、前記シュート２の排出口２５にガイド部材２１３、２２１を設けたことを特徴としている。よって、搬送物３と異物４がベルト１ａ上に直接落下することを防止できると共に、搬送物３や異物４のベルトへの衝撃を低減できるため、異物の貫通によるベルトの破損を防止することができる。【選択図】　　　　図１
2004026483.tif 000002
【特許請求の範囲】
【請求項１】
搬送物をベルトコンベアーのベルト上に落下案内するベルトコンベアー用シュートであって、
前記シュートの下方端部を前記ベルトコンベアーの搬送方向に沿って曲げたことを特徴とするベルトコンベアー用シュート。
【請求項２】
前記シュートに形成される排出口に前記搬送物の排出を案内するガイド部材を設けたことを特徴とする請求項１に記載のベルトコンベアー用シュート。
【発明の詳細な説明】
【０００１】
【発明の属する技術分野】
本発明は、ベルトコンベアー用シュートに係り、特にベルトの縦裂を回避することができるベルトコンベアー用シュートに関するものである。
【０００２】
【従来の技術】
例えば、上流側のベルトコンベアーから鉱石や石炭等の搬送物を下流側のベルトコンベアーに載せ替える場合には、シュートが一般に使用されている。
図３は従来のベルトコンベアー用シュートの一例であり、このベルトコンベアー用シュートａは、開口断面を有する筒体と、前記の筒体の内側面を覆うように取り付けたライナ（図示せず）とを備えている。ベルトコンベアー用シュートａの上方には、図示しない上流側ベルトコンベアーのヘッド端が位置し、また、ベルトコンベアー用シュートａの下方には、下流側ベルトコンベアーｃのテール端が位置している。
【０００３】
上流側ベルトコンベアーのベルトで搬送される鉱石や石炭などの搬送物ｂは、ベルトがヘッド端でリターン側へ転向する際に落下し、ベルトコンベアー用シュートａ内方を経て、下流側ベルトコンベアーｃのテール端でリターン側からキャリア側へ転向するベルトｃ上に載置される。
ところで、搬送物ｂに金属製の異物ｄが含まれている場合がある。鉄等の異物は事前に磁選機によって取り除かれるが、ステンレス系の異物は事前除去することが困難であった。
【０００４】
そして、こうした異物ｄが搬送物ｂと共に、ベルトコンベアー用シュートａのの内側面にガイドされつつ、下流側のベルトコンベアーｃのベルト上に直接落下するため、落下時の衝撃力で異物ｄがベルトを貫通するか、或はベルトに刺さり、刺さった場合は、ベルトと共に異物ｄが搬送されて、図示しないキャリローラなどの障害物でせき止められる結果、ベルトに搬送方向（縦方向）に縦裂が生じるという問題があった。
【０００５】
このような問題を解決する手段としては、特開昭５９−２６８０５号に記載されるようなベルトコンベヤの緩衝装置が開示されている。この従来技術では、図４に示すように、ベルトコンベヤの荷受部に設置するスカートａ１の内側で且つシュートａ２からの荷の落下位置に、ベルトａ３に載せておく振動板ａ４を位置させる。前記振動板ａ４は、トラフ形状とし、前端部には脚ａ５でゴム車輪ａ７を偏心させて取り付けると共に、後端部には脚ａ６でゴム車輪ａ８を偏心させて取り付け、且つ前記ゴム車輪ａ７の偏心方向と前記ゴム車輪ａ８の偏心方向とが互に反対方向となるようにし、ベルトコンベヤのベルトａ３上に載置して、該ベルトａ３の移動に従い前記ゴム車輪ａ７、ａ８が回転させられることによって振動板ａ４の前後が交互に上下動できるようにし、更に振動板ａ４の後端に設けた引掛部ａ９をシュートａ２に固定した引掛金具ａ１０に引っ掛け、ベルトａ３の移動中も振動板ａ４が荷落下位置に保持されるようにすることにより、ベルトコンベヤの荷受部で荷が落下するときの衝撃を吸収させる装置が開示されている。なお、ａ１１はキャリローラである。
【０００６】
【発明が解決しようとする課題】
しかし、上記振動板４で搬送物の落下時の衝撃を吸収させる装置では、落下する搬送物がベルトに衝突する衝撃力は緩和されるが、搬送物、特に異物がベルトに直接落下するのを防止することができるわけではないという問題点があった。さらにベルト上に、偏心して車輪を取り付けた振動板を載せて、振動板の振動特性を調整する必要があるため、装置構成が複雑であると同時に、搬送物の種類と落下高さ、あるいはベルトの搬送速度等に応じて、所望の振動特性と衝撃の吸収性能を得ることが困難であるという難点があった。
【０００７】
そこで、本発明は上記のような事情に鑑みてなされたものであって、構成が簡単で、しかも搬送物をベルト上に直接落下することを防止でき、異物混入時でもベルトの縦裂を防止できるベルトコンベアー用シュートを提供することを課題とする。
【０００８】
【課題を解決するための手段】
上記課題を解決するため、本発明のうち請求項１に係るベルトコンベアー用シュートは、搬送物をベルトコンベアーのベルト上に落下案内するベルトコンベアー用シュートであって、前記シュートの下方端部を前記ベルトコンベアーの搬送方向に沿って曲げたことを特徴としている。
【０００９】
このベルトコンベアー用シュートによれば、シュートの下方端部を搬送方向に曲げるようにしたので、簡単な構成で、搬送物と異物がベルト上に直接落下することを防止できると共に、異物によるベルトの貫通と縦裂を防止できる。
また、本発明のうち請求項２に係るベルトコンベアー用シュートは、請求項１に記載の発明において、前記シュートに形成される排出口に前記搬送物の排出を案内するガイド部材を設けたことを特徴としている。
【００１０】
このベルトコンベアー用シュートによれば、ガイド部材をシュートの排出口に取り付けるようしたので、搬送物と異物の落下速度を低下させると共に、搬送物と異物のベルトへの衝撃を低減させることができる。
【００１１】
【発明の実施の形態】
図１は本発明のベルトコンベアー用シュートの一実施形態の概略模式図、図２はベルトコンベアー用シュートの概略斜視図である。
図１において、１はベルトコンベアーであり、このベルトコンベアー１の一端上方には、シュート２が設置されている。
【００１２】
ベルトコンベアー１は、無端状に形成したベルト１ａ（搬送側）、１ｂ（リターン側）と、回転可能に設けたられた駆動プーリ１ｃと、駆動プーリ１ｃを駆動する駆動モータ（図示せず）とによって、主要部が構成される。
シュート２は、図２に示すように、主に前後左右４枚の板材２１、２２、２３、２４で構成される開口断面を有する筒体２０と、前記の筒体２０の内側面を覆うように取り付けたライナ（図示せず）とを備えている。ここで、このシュート２の一枚の板材２１の下方端部がベルトコンベアー１の搬送方向に沿って折り曲げられることで、二つの傾斜面２１１と傾斜面２１２が形成されている。この際、傾斜面２１１の傾斜角は搬送物３の落下高さや衝撃力等によって決めればよい。傾斜面２１２の傾斜角は、搬送物３をベルトにスムーズに載せるために、水平方向に対して傾斜面２１１の傾斜角より小さい角度で設定すればよい。そして、シュート２の傾斜面２１１、２１２は、落下する搬送物３と異物４を直接受けることができる。
【００１３】
また、板材２１に対面する板材２２下端と傾斜面２１２先端との間には、搬送物を排出するための排出口２５が設けられている。さらにこの排出口２５より前方、（外側）にそれぞれのガイド部材２２１、２１３が取り付けられている。このようして、落下した搬送物３と異物４が排出口２５を経て、更にガイド部材２１３、２２１によって案内された後に、ベルト１ａ上に載置されるので、搬送物３や異物４のベルト１ａへの衝撃はより小さくなる。
【００１４】
また、従来のシュートと同様に、シュート２の内側面には、摩耗や衝撃防止のために、Ｈｉ−Ｃｒライナーやストンボックスによる被覆手段を設けて構成すればよい。
搬送物３と異物４は、図１において、上流側のベルトコンベアーから投入され、シュート２の内部を通過して落下する。この際、シュート２内を落下する搬送物３と異物４は傾斜面２１１と傾斜面２１２によって、下流側のベルトコンベアー１のベルト１ａ上への直接落下が阻止されることになる。そのため、異物４がベルトに刺さるようなことはなくなり、ベルトの縦裂を防止できる。さらにガイド部材２１３、２２１が設けられているから、搬送物３と異物４の落下速度を低下させると共に、搬送物３や異物４のベルトコンベアー１のベルト１ａへの衝撃をより小さくすることができる。
【００１５】
なお、上記実施形態では、シュート２の下方端部に二つの傾斜面２１１と傾斜面２１２とを折り曲げて形成したが、連続した曲面で形成してもよい。また、傾斜面の折り曲げ箇所の曲率は特に限定されない。搬送物の種類によっては折り曲げ箇所に適当な曲率を与えても良い。また、上記実施形態では、シュート形状を角形のものとしたが、円筒状のシュート形状でもよい。
【００１６】
【発明の効果】
以上説明したように、シュートの下方端部を搬送方向に曲げるという簡単な構成のみで、搬送物や異物がベルト上に直接落下することを防止できる。さらにガイド部材をシュートの排出口の外側に取り付けることで、搬送物と異物の落下速度を低下させると共に、搬送物や異物のベルトへの衝撃を低減させることができる。従って、本発明のベルトコンベアー用シュートは、ベルトの破損を防止することができる。
【図面の簡単な説明】
【図１】本発明に係るベルトコンベアー用シュートの概略模式図である。
【図２】本発明に係るベルトコンベアー用シュートの概略斜視図である。
【図３】従来のベルトコンベアー用シュートの一例の説明図である。
【図４】従来のベルトコンベアー用シュートの他の例の説明図である。
【符号の説明】
１　　　ベルトコンベアー
２　　　シュート
２１１　傾斜面
２１２　傾斜面
２１３　ガイド部材
２２１　ガイド部材
３　　　搬送物
４　　　異物
【図１】
2004026483.tif 000003
【図２】
2004026483.tif 000004
【図３】
2004026483.tif 000005
【図４】
2004026483.tif 000006